(57)【要約】【課題】  簡単な構造でバーナーに対する焼き網の位置ずれが生じにくい焼き網を提供すること。【解決手段】  焼き網１は、矩形形状の環状体のフレーム部２と、フレーム部２の内周側の開口部２５に張られた網部３と、を備え、バーナーの五徳に保持される。フレーム部２の外周縁２１１、２２１、２３１、２４１に、五徳に嵌合される切欠部４、５、６、７が設けられている。フレーム部２の切欠部４、５、６、７がバーナーの五徳に篏合することにより、バーナーに対する焼き網１の位置ずれが生じにくい。【選択図】      図１
0003227508.tif 000002
【実用新案登録請求の範囲】
【請求項１】
バーナーの五徳に保持される焼き網であって、
矩形形状の環状体のフレーム部と、
前記フレーム部の内周側の開口部に張られた網部と、を備え、
前記フレーム部の外周縁に、前記五徳に嵌合される切欠部が設けられた焼き網。
【請求項２】
前記フレーム部は、正方形の環状体であり、
前記切欠部は、前記フレーム部の四辺のそれぞれに設けられた、
請求項１に記載の焼き網。
【請求項３】
前記フレーム部の２つの対角線の交点を対称点とした場合に、
前記切欠部は、前記対称点を中心として、点対称の位置に配置された、
請求項２に記載の焼き網。
【考案の詳細な説明】
【技術分野】
【０００１】
本考案は、焼き網に関する。
【背景技術】
【０００２】
従来、例えばバーベキューコンロ等に用いられる焼き網やバーナーの五徳の上に載置される焼き網が公知である。焼き網の下方には、火口や燃料ボンベ等を含む加熱手段が配置される（例えば、特許文献１参照）。焼き網の上に食材を載せた状態で火口から炎を排出させることにより、食材を加熱調理することができる。
【先行技術文献】
【特許文献】
【０００３】
【特許文献１】実用新案登録第３１９００３０号公報
【考案の概要】
【考案が解決しようとする課題】
【０００４】
しかしながら、特許文献１の焼き網は、折り畳み可能な折畳脚を備えるため、構造が複雑で製造となって手間がかかるという問題があった。
【０００５】
本考案の目的は、簡単な構造でバーナーに対する焼き網の位置ずれが生じにくい焼き網を提供することである。
【課題を解決するための手段】
【０００６】
前述した課題を解決し、目的を達成するために、本考案の一態様に係る焼き網は、バーナーの五徳に保持される焼き網であって、矩形形状の環状体のフレーム部と、前記フレーム部の内周側の開口部に張られた網部と、を備え、前記フレーム部の外周縁に、前記五徳に嵌合される切欠部が設けられている。
【考案の効果】
【０００７】
本考案によれば、フレーム部に切欠部を形成し、切欠部がバーナーの五徳に嵌合されるため、簡単な構造でバーナーに対する焼き網の位置ずれが生じにくい焼き網を提供することができる。
【図面の簡単な説明】
【０００８】
【図１】図１は、実施形態による焼き網を示す図であり、図１（ａ）は焼き網の平面図、図１（ｂ）は図１（ａ）をＡ方向から見た焼き網の側面図である。
【図２】図２は、焼き網のフレーム部に設けられた切欠部を拡大した概略図である。
【図３】図３は、焼き網のフレーム部を示す平面図である。
【図４】図４は、焼き網のフレーム部を示す平面図である。
【図５】図５は、実施形態によるバーナーの全体を示す斜視図である。
【図６】図６は、バーナーの一部を示す斜視図である。
【図７】図７は、バーナーを上側から見た平面図である。
【図８】図８は、バーナーの五徳に焼き網を保持した状態を示す斜視図である。
【考案を実施するための形態】
【０００９】
本考案を実施するための実施形態について、図面を参照しつつ詳細に説明する。以下の実施形態に記載した内容により本考案が限定されるものではない。また、本考案の要旨を逸脱しない範囲で構成の種々の省略、置換又は変更を行うことができる。
【００１０】
図１は、実施形態による焼き網を示す図であり、図１（ａ）は焼き網の平面図、図１（ｂ）は図１（ａ）をＡ方向から見た焼き網の側面図である。図１（ａ）及び図１（ｂ）に示すように、実施形態に係る焼き網１は、フレーム部２と網部３とを備える薄い金属製の網である。フレーム部２は、図１（ａ）に示すように、略ロ字状であり、内周側に開口部２５が設けられた矩形形状の環状体（枠体）を有する。矩形形状は、正方形及び長方形を含む概念であるが、実施形態では正方形である。また、網部３は、フレーム部２の内周側の開口部２５に張られている。フレーム部２は、第１辺部２１、第２辺部２２、第３辺部２３及び第４辺部２４の四辺を備える。フレーム部２の外周縁２１１、２２１、２３１、２４１に切欠部４、５、６、７がそれぞれ設けられている。換言すると、切欠部４、５、６、７は、フレーム部２の四辺のそれぞれに設けられている。切欠部について、以下に詳細に説明する。
【００１１】
図２は、焼き網のフレーム部に設けられた切欠部を拡大した概略図である。図２に示すように、第１辺部２１に形成された切欠部４は、長方形の形状を有する。第１辺部２１は、例えば金属板であり、第１辺部２１の外周側の端部をプレスで打ち抜くことにより切欠部４を成形することができる。切欠部４は、一対の側縁４１、４２と、底縁４３と、で囲まれた部位である。側縁４１は、第１辺部２１の外周縁２１１から内周縁２１２に向けて延び、外周縁２１１及び内周縁２１２に直交する。側縁４２は、第１辺部２１の外周縁２１１から内周縁２１２に向けて延び、外周縁２１１及び内周縁２１２に直交する。即ち、側縁４１と側縁４２とは、第１辺部２１の長手方向（延在方向、図２の横方向）に間隔をおいて対向して配置され互いに平行に延びている。底縁４３は、側縁４１の先端４１１と側縁４２の先端４２１とを結び、側縁４１、４２と直交して第１辺部２１の長手方向に延びている。切欠部４の幅Ｗは、側縁４１と側縁４２との離間距離と同一である。なお、切欠部５、６、７の形状及び大きさは、切欠部４と同一であるため、詳細な説明を省略する。
【００１２】
図３は、焼き網のフレーム部を示す平面図である。図３に示すように、切欠部４、５、６、７は、フレーム部２の対称点Ｃを中心として、点対称の位置に配置されている。以下に詳細に説明する。
【００１３】
第１辺部２１の外周縁２１１と第４辺部２４の外周縁２４１との交点を第１角部８１とする。第１辺部２１の外周縁２１１と第２辺部２２の外周縁２２１との交点を第２角部８２とする。第２辺部２２の外周縁２２１と第３辺部２３の外周縁２３１との交点を第３角部８３とする。第３辺部２３の外周縁２３１と第４辺部２４の外周縁２４１との交点を第４角部８３とする。また、第１角部８１と第３角部８３とを結ぶ対角線を対角線Ｄ１とし、第２角部８２と第４角部８４とを結ぶ対角線を対角線Ｄ２とする。対角線Ｄ１と対角線Ｄ２との交点が対称点Ｃとなる。なお、フレーム部２は正方形であるため、対称点Ｃは、フレーム部２の重心と一致する。切欠部４と切欠部６とは、対称点Ｃを中心として、点対称の位置に配置されている。切欠部５と切欠部７とは、対称点Ｃを中心として、点対称の位置に配置されている。
【００１４】
図４は、焼き網のフレーム部を示す平面図である。図４に示すように、切欠部４、５、６、７は、第１辺部２１、第２辺部２２、第３辺部２３及び第４辺部２４のそれぞれの長手方向の中央よりも一方側に配置されている。以下に詳細に説明する。
【００１５】
第１辺部２１の長さである第１距離Ｌ１は、第１角部８１と第２角部８２との距離である。第１角部８１から切欠部４の幅方向の中央までの距離は第２距離Ｌ２である。なお、切欠部４の幅方向とは、第１辺部２１の長手方向と同じである。切欠部４の幅方向の中央から第２角部８２までの距離は第３距離Ｌ３である。第２距離Ｌ２と第３距離Ｌ３とを合わせた合計距離は、第１距離Ｌ１である。第２距離Ｌ２は、第３距離Ｌ３よりも小さい。従って、切欠部４は、第１辺部２１の長手方向において、第２角部８２よりも第１角部８１に近い位置に配置されている。そして、切欠部５、６、７についても同様である。即ち、切欠部５は、第２辺部２２の長手方向において、第３角部８３よりも第２角部８２に近い位置に配置されている。切欠部６は、第３辺部２３の長手方向において、第４角部８４よりも第３角部８３に近い位置に配置されている。切欠部７は、第４辺部２４の長手方向において、第１角部８１よりも第４角部８４に近い位置に配置されている。
【００１６】
図５は、実施形態によるバーナーの全体を示す斜視図である。図６は、バーナーの一部を示す斜視図である。図７は、バーナーを上側から見た平面図である。図５から図７に示すように、バーナー１００は、脚部１１０と、下側保持部１２０と、支柱１３０と、上側保持部１４０と、火口１５０と、五徳１６０と、を備える。バーナー１００は、燃焼装置とも称する。
【００１７】
脚部１１０は、バーナー１００全体を地面や床面に安定して載置させる機能を有する。脚部１１０は、実施形態では３本設けられ、それぞれの脚部１１０が支柱１３０の中心軸から径方向外側に向けて延びている。
【００１８】
下側保持部１２０は、上下方向に延びる円筒形状を有し、側部には、火力調整つまみ１２１とボンベ接続口１２２とが設けられている。火力調整つまみ１２１は、手指で把持して回転させることにより、火口１５０から出る炎の大きさを可変させる機能を有する。ボンベ接続口１２２には、カセットボンベ２００が接続される。カセットボンベ２００は円筒状の形状を有し、カセットボンベ２００の中心軸の方向は、支柱１３０の中心軸の方向に対して略直交する。即ち、支柱１３０の中心軸は上下方向（縦方向）に延びるが、カセットボンベ２００の中心軸は水平方向（横方向）に延びる。
【００１９】
支柱１３０は、上下方向（縦方向）に延びて、下側保持部１２０と上側保持部１４０とを連結する。支柱１３０には、図６に示すように、溝部１３４及び貫通孔１３５が設けられている。貫通孔１３５は、円形の形状を有し、横方向に延びている。溝部１３４は、貫通孔１３５の上側に３つ設けられている。具体的には、溝部１３４は、第１溝１３１、第２溝１３２及び第３溝１３３である。下側から上側に向けて第１溝１３１、第２溝１３２及び第３溝１３３が順に配置されている。第１溝１３１、第２溝１３２及び第３溝１３３は、等間隔で上下方向に沿って配置され、第１溝１３１と第２溝１３２との上下距離は、第２溝１３２と第３溝１３３の上下距離と同一である。溝部１３４は、支柱１３０の外周面１３６から支柱１３０の中心軸に向けて凹んでおり、支柱１３０の外周面１３６の全周に亘って周方向に円環状に延びている。従って、溝部１３４の底面の径は、支柱１３０の外周面１３６の径よりも小さい。
【００２０】
上側保持部１４０は、支柱１３０の上側に配置され、内周側に火口１５０が設けられている。火口１５０から炎が排出される。上側保持部１４０は、図７に示すように、上側から見て略正方形の形状を有する。上側保持部１４０は、底部１４１と側部１４２とを備える。底部１４１は、略正方形の形状を有する。底部１４１の径方向外側端から上側に向けて４つの側部１４２が延びている。底部１４１の中央部に火口１５０が配置され、４つの側部１４２によって火口１５０の外周側が覆われているため、上側保持部１４０は、火口１５０の風除けの機能を有する。即ち、外側から火口１５０に向けて風が吹いた場合でも、側部１４２によって火口１５０へ風が当たりにくくなっている。また、図７に示すように、４つの五徳１６０は、上側から見た場合に、それぞれ異なった方向に延びている。具体的には、周方向に隣接する２つの五徳１６０同士は、互いに直交している。
【００２１】
図５に示すように、五徳１６０は、実施形態では４つ設けられ、回転軸１６１を介して上側保持部１４０の側部１４２に回転可能に軸支されている。即ち、五徳１６０の長手方向の一端部１６３が上側保持部１４０の側部１４２に軸支されている。また、回転軸１６１の近傍部にストッパ１６２が固定されている。従って、五徳１６０は、回転軸１６１を中心として他端部１６４が上下方向に回転可能であり、ストッパ１６２によって下側への回転位置が規制されている。
【００２２】
図８は、バーナーの五徳に焼き網を保持した状態を示す斜視図である。図８に示すように、焼き網１は、バーナー１００の五徳１６０に保持される。具体的には、前述したように、五徳１６０は４つ設けられ、それぞれの五徳１６０の他端部１６４の厚さは、切欠部４、５、６、７の幅Ｗよりも小さい。従って、４つの五徳１６０の他端部１６４が、焼き網１のフレーム部２の切欠部４、５、６、７にそれぞれ嵌合される。
【００２３】
上記構成を有する実施形態の焼き網１によれば、以下の作用効果を有する。
【００２４】
実施形態の焼き網１は、矩形形状のフレーム部２と、フレーム部２の内周側の開口部２５に張られた網部３と、を備え、フレーム部２の外周縁２１１、２２１、２３１、２４１に、五徳１６０に嵌合される切欠部４、５、６、７が設けられている。
【００２５】
このように、フレーム部２の切欠部４、５、６、７がバーナー１００の五徳１６０に嵌合されるため、焼き網１をバーナー１００の五徳１６０に保持する際にバーナー１００に対する焼き網１の位置ずれが生じにくい。また、フレーム部２の切欠部４、５、６、７という簡単な構造で焼き網１の位置ずれを抑制することができる。そして、フレーム部２の切欠部４、５、６、７をバーナー１００の五徳１６０に嵌合するという簡単な動作によって、フレーム部２をバーナー１００の五徳１６０に確実に保持させることができる。
【００２６】
フレーム部２は、正方形の環状体であり、切欠部４、５、６、７は、フレーム部２の四辺のそれぞれに設けられているため、長方形の形状のフレームよりも安定的にバーナー１００の五徳１６０に保持させることができる。
【００２７】
フレーム部２の２つの対角線Ｄ１、Ｄ２の交点を対称点Ｃとした場合に、切欠部４、５、６、７は、対称点Ｃを中心として、点対称の位置に配置されている。従って、フレーム部２の切欠部４、５、６、７が非対称の位置に配置された場合と比較すると、フレーム部２がバーナー１００の五徳１６０により安定して保持される。
【符号の説明】
【００２８】
１  焼き網
２  フレーム部
４、５、６、７  切欠部
２５  開口部
１６０  五徳
２１１、２２１、２３１、２４１  外周縁
Ｃ  対称点
Ｄ１、Ｄ２  対角線
【図１】
0003227508.tif 000003
【図２】
0003227508.tif 000004
【図３】
0003227508.tif 000005
【図４】
0003227508.tif 000006
【図５】
0003227508.tif 000007
【図６】
0003227508.tif 000008
【図７】
0003227508.tif 000009
【図８】
0003227508.tif 000010